(57)【要約】【課題】車載型の携帯電話機用ハンズフリー装置において、携帯電話機固有の識別情報と対応づけた電話帳を、新しい後継携帯電話機固有の識別情報に対応した電話帳に置き換えて登録する。【解決手段】携帯電話機が携帯電話機用ハンズフリー装置に接続され、ユーザ入力装置を介して該携帯電話機に対応する電話帳の置き換え登録が指示されると、置き換え登録対象の電話帳が検索される（Ｓ３５１）。該携帯電話機に代わって後継携帯電話機が接続されると（Ｓ３５３、Ｓ３５５）、該後継携帯電話機固有の識別情報が読み込まれる（Ｓ３５７）。置き換え登録対象の電話帳に対応する携帯電話機の識別情報を、該後継携帯電話機固有の識別情報に変更して登録する（Ｓ３５９）。【選択図】図４
2011155606.tif 000002
【特許請求の範囲】
【請求項１】
携帯電話機の接続を検出し、接続された携帯電話機の識別情報を読み込む手段と、
前記識別情報ごとに電話帳を作成する電話帳作成手段と、
前記電話帳に割り当てられた識別情報を他の携帯電話機の識別情報に変更する変更手段とを備えることを特徴とする携帯電話機用ハンズフリー装置。
【請求項２】
請求項１に記載の携帯電話機用ハンズフリー装置において、
前記識別情報は、ブルートゥース（Ｂｌｕｅｔｏｏｔｈ（登録商標））規格のブルートゥースデバイスアドレス（Ｂｌｕｅｔｏｏｔｈ  Ｄｅｖｉｃｅ  Ａｄｄｒｅｓｓ）、ブルートゥースデバイスアドレス（Ｂｌｕｅｔｏｏｔｈ  Ｄｅｖｉｃｅ  Ａｄｄｒｅｓｓ）およびブルートゥースデバイスネーム（Ｂｌｕｅｔｏｏｔｈ  Ｄｅｖｉｃｅ  Ｎａｍｅ）の組合せ、ならびに電話番号のうちの少なくとも１つであることを特徴とする携帯電話機用ハンズフリー装置。
【請求項３】
請求項１に記載の携帯電話機用ハンズフリー装置において、
前記電話帳は、電話番号、短縮ダイヤル番号、発着信履歴、前記接続された携帯電話機の発着信履歴を含むことを特徴とする携帯電話機用ハンズフリー装置。
【請求項４】
ユーザ入力装置を介して第１携帯電話機に対応する電話帳についての置き換え登録処理が指示されると、前記電話帳を検索し、
検索した前記電話帳に新たに対応付けられる第２携帯電話機の識別情報を前記第２携帯電話機から読み込み、
前記第２携帯電話機から読み込んだ前記識別情報を、検索した前記電話帳に新たに対応付けて登録することを特徴とする電話帳登録方法。
【請求項５】
請求項４に記載の電話帳登録方法において、
前記識別情報は、ブルートゥース（Ｂｌｕｅｔｏｏｔｈ（登録商標））規格のブルートゥースデバイスアドレス（Ｂｌｕｅｔｏｏｔｈ  Ｄｅｖｉｃｅ  Ａｄｄｒｅｓｓ）、ブルートゥースデバイスアドレス（Ｂｌｕｅｔｏｏｔｈ  Ｄｅｖｉｃｅ  Ａｄｄｒｅｓｓ）およびブルートゥースデバイスネーム（Ｂｌｕｅｔｏｏｔｈ  Ｄｅｖｉｃｅ  Ｎａｍｅ）の組合せ、ならびに電話番号のうちの少なくとも１つであることを特徴とする電話帳登録方法。
【請求項６】
請求項４に記載の電話帳登録方法において、
前記電話帳は、電話番号、短縮ダイヤル番号、発着信履歴、前記接続された携帯電話機の発着信履歴を含むことを特徴とする電話帳登録方法。
【発明の詳細な説明】
【技術分野】
【０００１】
本発明は、接続された携帯電話機に対応する電話帳を携帯電話機毎に管理する携帯電話機用ハンズフリー装置、およびその電話帳についての電話帳登録方法に関する。
【背景技術】
【０００２】
従来から、ブルートゥース（Ｂｌｕｅｔｏｏｔｈ（登録商標））等の無線通信を利用してナビゲーション装置と複数の電話機とを接続可能とし、各携帯電話機毎に電話帳データを管理可能な携帯電話機用ハンズフリー装置が知られている（例えば、特許文献１参照）。
【先行技術文献】
【特許文献】
【０００３】
【特許文献１】特開２００６−６０２９３号公報
【発明の概要】
【発明が解決しようとする課題】
【０００４】
ハンズフリー通話が可能なナビゲーション装置は、車載型の携帯電話機用ハンズフリー装置を介して携帯電話機がブルートゥース（Ｂｌｕｅｔｏｏｔｈ（登録商標））にて接続されると、ブルートゥースデバイスアドレス（Ｂｌｕｅｔｏｏｔｈ  Ｄｅｖｉｃｅ  Ａｄｄｒｅｓｓ）や電話番号等から成る携帯電話機識別データをキーとして携帯電話機の最新の電話帳データを取得する。そのため、複数の携帯電話機の電話帳データを個別に更新して保存および管理することができる。
【０００５】
電話帳データと対応づけている携帯電話機を別の携帯電話機（後継携帯電話機）へ変更した場合はＢｌｕｅｔｏｏｔｈ  Ｄｅｖｉｃｅ  Ａｄｄｒｅｓｓも変更となる。そのため、上述したようにＢｌｕｅｔｏｏｔｈ  Ｄｅｖｉｃｅ  Ａｄｄｒｅｓｓをキーとして電話帳データを対応づけると、ナビゲーション装置は、変更後の後継携帯電話機を変更前の携帯電話機とは無関係に新規登録対象としての別の携帯電話機としてみなしてしまう。その結果、変更前の携帯電話機の電話帳データを変更後の後継携帯電話機の電話帳データとして置き換えて管理することができない。
【課題を解決するための手段】
【０００６】
（１）請求項１に記載の携帯電話機用ハンズフリー装置は、携帯電話機の接続を検出し、接続された携帯電話機の識別情報を読み込む手段と、識別情報ごとに電話帳を作成する電話帳作成手段と、電話帳に割り当てられた識別情報を他の携帯電話機の識別情報に変更する変更手段とを備えることを特徴とする。
（２）請求項４に記載の電話帳登録方法は、ユーザ入力装置を介して第１携帯電話機に対応する電話帳についての置き換え登録処理が指示されると、電話帳を検索し、検索した電話帳に新たに対応付けられる第２携帯電話機の識別情報を第２携帯電話機から読み込み、第２携帯電話機から読み込んだ識別情報を、検索した電話帳に新たに対応付けて登録することを特徴とする。
【発明の効果】
【０００７】
本発明によれば、携帯電話機固有の識別情報と対応づけた電話帳を、新しい携帯電話機固有の識別情報と対応づけて引き続き使用することができる。
【図面の簡単な説明】
【０００８】
【図１】本実施の形態の車載ハンズフリー装置１００の内部および周辺の構成を示す図である。
【図２】電話帳について説明するための図である。
【図３】電話帳の新規登録、更新登録、および置き換え登録処理手順を説明するためのフローチャートである。
【図４】電話帳の新規登録、更新登録、および置き換え登録処理手順を説明するためのフローチャートである。
【発明を実施するための形態】
【０００９】
本発明は、複数の携帯電話機ごとに電話帳を登録することができるナビゲーション装置等の電子機器に適用され、電子機器に登録済みの携帯電話機を変更した場合、変更前の携帯電話機の電話帳を新たな携帯電話機の電話帳として簡単に置換え登録可能としたものである。
【００１０】
図１〜図４を参照して、本発明によるハンズフリー装置をナビゲーション装置と連携して使用する一実施の形態を説明する。図１は、本実施の形態の車載型の携帯電話機用ハンズフリー装置（以下、車載ハンズフリー装置という）１００の内部および周辺の構成を示す図である。
【００１１】
ＣＰＵ１１０は、車載ハンズフリー装置１００の置き換え登録処理（図４の説明にて後述）を含む車載ハンズフリー装置１００における全ての処理を制御する。ＣＰＵ１１０にバス接続されている周辺回路は、主記憶装置１１５、ディスプレイモジュール１４０、オーディオモジュール１５０、補助記憶装置１６０、通信インタフェース１７０等を含んで構成されている。主記憶装置１１５は、各々ＣＰＵ１１０の作業エリアであるワークメモリや制御プログラムが格納されているプログラムメモリ等を含んで構成されている。
【００１２】
ユーザ入力装置１３０は、押ボタン式スイッチ、リモコン等のユーザインタフェースである。ディスプレイモジュール１４０は、モニタおよびモニタ駆動回路等を含み、ＣＰＵ１１０から出力される文字や図形等の画像データを画面表示する。オーディオモジュール１５０は、ＣＰＵ１１０から出力される音声信号をスピーカ１５５が音声に変換して出力するための制御を行う。
【００１３】
補助記憶装置１６０は、置き換え登録対象となる電話帳（図２の説明にて後述）などの情報を格納する。補助記憶装置１６０として、ハードディスクドライブが用いられるが、ＣＤやＤＶＤ、フラッシュメモリ、その他の記録媒体、およびその読み出し装置であっても良い。
【００１４】
通信インタフェース１７０は、車載ハンズフリー装置１００が携帯電話機５００との間でデータ通信を行う際に用いられる。データ通信方式としては、ブルートゥース（Ｂｌｕｅｔｏｏｔｈ（登録商標））や赤外線通信等の無線通信、ケーブル接続による有線通信を共に用いることができる。たとえば、Ｂｌｕｅｔｏｏｔｈを利用する場合、通信インタフェース１７０はデータ送受信のためのアンテナやＲＦ（Ｒａｄｉｏ  Ｆｒｅｑｕｅｎｃｙ）回路（不図示）等を含んで構成される。
【００１５】
図２を用いて、補助記憶装置１６０に格納されている電話帳について説明する。置き換え登録対象となる電話帳２００は、携帯電話機個体識別情報２１０をキーとして識別可能にデータベース化されている。携帯電話機個体識別情報２１０は携帯電話機固有の識別情報（ＩＤ）である。各電話帳は、複数の携帯電話機５００毎に各々登録名称が付与されて管理されている。電話帳２００の登録名称は、たとえば、Ｂｌｕｅｔｏｏｔｈ規格に定義されるブルートゥースデバイスネーム（Ｂｌｕｅｔｏｏｔｈ  Ｄｅｖｉｃｅ  Ｎａｍｅ）や、ユーザ入力に基づく任意の名称が用いられる。携帯電話機個体識別情報２１０としては、たとえば、Ｂｌｕｅｔｏｏｔｈ規格に定義されるブルートゥースデバイスアドレス（Ｂｌｕｅｔｏｏｔｈ  Ｄｅｖｉｃｅ  Ａｄｄｒｅｓｓ）や電話番号が用いられる。
【００１６】
図２では、ｎ台の携帯電話機５００の電話帳２００が携帯電話機個体識別情報２１０＃１〜＃ｎをキーとして各々管理されている様子を示している。電話帳２００では、たとえば短縮ダイヤルデータ２５１、電話帳データ２５２、発着信履歴データ２５３などを個別に管理している。短縮ダイヤルデータ２５１に含まれる短縮ダイヤルは、電話帳データ２５２に含まれる電話番号のうち、たとえば発信頻度の多い電話番号に対してユーザ入力に基づき対応付けられて管理される。ユーザは、電話帳データ２５２に含まれる電話番号を選択して発信しなくとも、短縮ダイヤル番号を選択することで発信することができる。発着信履歴データ２５３には、車載ハンズフリー装置１００および携帯電話機５００において最近発着信のあった接続先の電話番号およびその発着信の日時が、たとえば直近の所定件数分含まれる。
【００１７】
図３および図４のフローチャートを参照して一実施の形態による電話帳２００の新規登録、更新登録、および置き換え登録処理手順を説明する。これらのフローチャートは、予め記憶されている電話帳データ管理用プログラムをＣＰＵ１１０によって実行する場合の手順を示している。電話帳データ管理用プログラムは、車載ハンズフリー装置１００に携帯電話機５００を接続すると起動され、電話帳２００の各種登録処理手順が始まる。  
【００１８】
ステップＳ３１１においては、携帯電話機５００が接続されたか否かを判定する。肯定判定であれば、本処理手順はステップＳ３１３へ進み、否定判定であれば、肯定判定が得られるまでステップＳ３１１における処理を繰り返す。ステップＳ３１３においては、接続された携帯電話機５００から、上述した携帯電話機個体識別情報２１０を読み込む。
【００１９】
ステップＳ３１５においては、接続された携帯電話機５００についての接続認証が成功したか否かを判定する。肯定判定であれば、本処理手順は後述するステップＳ３３１へ進み、否定判定であれば、本処理手順はステップＳ３１７へ進む。
【００２０】
ステップＳ３１７においては、接続された携帯電話機５００についての新規登録が必要であるか否かを判定する。たとえば、接続された携帯電話機５００についての新規登録が必要であるか否かをユーザに伺う画面をモニタ１４５に表示し、ユーザ入力装置１３０の操作を介してユーザによる意思表示が入力されることにより判定される。肯定判定であれば、本処理手順はステップＳ３１９へ進み、否定判定であれば、新規登録不要と判定し、本処理手順は後述するステップＳ３４５へ進む。
【００２１】
ステップＳ３１９においては、ユーザ入力装置１３０の操作を介して、上述した新規登録に必要な基本設定が入力されたか否かを判定する。基本設定の内容は、たとえば、補助記憶装置１６０において電話帳２００が格納されるフォルダの場所や、電話帳２００の登録名称（ユーザ入力に基づく任意の名称を用いる場合に限られる）、携帯電話機５００に付与されている電話番号等である。こうして、設定された電話帳フォルダ内に、携帯電話機５００に対応する電話帳２００の領域が確保され、短縮ダイヤルデータ２５１、電話帳データ２５２、および発着信履歴データ２５３が、たとえば、入力された電話番号をキーとして、その領域に格納されることとなる。
【００２２】
ステップＳ３２１においては、接続された携帯電話機５００から電話帳データが読み込まれ、上述した電話帳フォルダ内に確保された電話帳２００の領域に、電話帳データ２５２として設定される。同様にして、ステップＳ３２３においては、接続された携帯電話機５００から発着信履歴データが読み込まれ、上述した電話帳フォルダ内に確保された電話帳２００の領域に、発着信履歴データ２５３として設定される。
【００２３】
ステップＳ３２５においては、ユーザ入力装置１３０の操作を介して短縮ダイヤル番号の設定が入力されたか否かを判定する。すなわち、新規登録処理中の電話帳データ２５２に含まれる電話番号に対する短縮ダイヤル番号についての短縮ダイヤル番号データ２５１が入力されたか否かを判定する。肯定判定であれば、ステップＳ３２７において、入力された短縮ダイヤル番号データ２５１が新規登録処理中の電話帳２００に設定され、本処理手順はステップＳ３２９へ進む。否定判定であれば、本処理手順は、ステップＳ３２７をスキップしてステップＳ３２９へ進む。
【００２４】
ステップＳ３２９においては、新規登録完了通知画面をモニタ１４５に表示する。ステップＳ３４５においては、接続されていた携帯電話機５００の接続解除を待機し、接続解除がなされると、本処理手順は終了する。すなわち、車載ハンズフリー装置１００に携帯電話機５００を接続した際の電話帳登録更新プログラムが終了する。その後は、電話帳２００のデータの画面表示や携帯電話機５００の操作等の通常利用が可能となる。
【００２５】
上述したように、ステップＳ３１５における判定の結果、肯定判定であれば、すなわち接続認証が成功した場合は、本処理手順はステップＳ３３１へ進む。ステップＳ３３１においては、接続された携帯電話機５００に対応する電話帳２００を後継携帯電話機に対応する電話帳２００とするかしないか、すなわち電話帳２００の置き換え登録を行うか否かを判定する。この判定は、たとえば、置き換え登録を行うか否かについての選択画面をモニタ１４５に表示し、ユーザ入力装置１３０の操作を介していずれかが選択されることにより行われる。携帯電話機５００のユーザが、後継携帯電話機に買い替えたことで、それまでその携帯電話機５００に対応付けられていた電話帳２００を、その後は後継携帯電話機に対応付けることとしたいような場合に、置き換え登録を行う旨が選択される。すなわち、ステップＳ３３１の判定結果は肯定判定となる。肯定判定であれば、本処理手順は後述するステップＳ３５１へ進み、否定判定であれば、本処理手順はステップＳ３３３へ進む。
【００２６】
ステップＳ３３３においては、接続された携帯電話機５００から電話帳データが読み込まれ、上述した電話帳フォルダ内に格納された電話帳２００の電話帳データ２５２が更新される。同様にして、ステップＳ３３５においては、接続された携帯電話機５００から発着信履歴データが読み込まれ、上述した電話帳フォルダ内に格納された電話帳２００の発着信履歴データ２５３が更新される。
【００２７】
ステップＳ３３７においては、更新された電話帳データ２５２に含まれる電話番号に対する短縮ダイヤル番号の設定が、ユーザ入力装置１３０の操作を介して入力されたか否かを判定する。肯定判定であれば、ステップＳ３３９において、入力された短縮ダイヤル番号の設定に基づき、短縮ダイヤル番号データ２５１が更新され、本処理手順はステップＳ３４１へ進む。否定判定であれば、本処理手順は、ステップＳ３３９をスキップしてステップＳ３４１へ進む。
【００２８】
ステップＳ３４１においては、電話帳更新完了通知画面をモニタ１４５に表示し、本処理手順は、上述したステップＳ３４５へ進む。
【００２９】
上述したように、ステップＳ３３１において、電話帳２００の置き換え登録を行うか否かを判定した結果、肯定判定であれば、本処理手順はステップＳ３５１へ進む。ステップＳ３５１においては、置き換え登録の対象となる電話帳２００、すなわち接続された携帯電話機５００に対応する電話帳２００を検索する。置き換え登録対象の電話帳２００が検索されると、ステップＳ３５３において、接続された携帯電話機５００の接続が解除されたか否かを判定し、否定判定の場合は肯定判定が得られるまで待機し、肯定判定の場合はステップＳ３５５において、後継携帯電話機が接続されたか否かを判定する。具体的には、たとえば、置き換え登録対象の電話帳２００が検索された時点で、車載ハンズフリー装置１００に対する携帯電話機５００の接続を解除して後継携帯電話機の接続を行うことをユーザに促すメッセージをモニタ１４５の画面に表示する。携帯電話機５００の接続が解除されると、後継携帯電話機の接続をユーザに促すメッセージのみをモニタ１４５の画面に表示する。
【００３０】
ステップＳ３５５においては、否定判定が得られると肯定判定が得られるまで待機し、後継携帯電話機が接続されると肯定判定が得られる。肯定判定が得られると、ステップＳ３５７において、後継携帯電話機から携帯電話機個体識別情報２１０が読み込まれる。ステップＳ３５９においては、ステップＳ３５１において検索された置き換え登録対象の電話帳２００に、ステップＳ３５７において読み込まれた携帯電話機個体識別情報２１０を対応付けて登録する。すなわち、その電話帳２００に対応付けられた携帯電話機個体識別情報２１０を、後継携帯電話機の携帯電話機個体識別情報２１０に変更して登録する。こうして、その電話帳２００を管理するための新しいキーとして、後継携帯電話機の携帯電話機個体識別情報２１０が用いられることとなる。
【００３１】
ステップＳ３６１においては、電話帳の置き換え登録完了通知画面をモニタ１４５に表示し、本処理手順は、上述したステップＳ３４５へ進む。なお、上述したステップＳ３５１、Ｓ３５７およびＳ３５９における各処理については、自動的に実行されることとする代わりに、ユーザ入力装置１３０の操作を介した入力によりマニュアル的に実行されることとしても良い。
【００３２】
上述した一実施の形態による車載ハンズフリー装置１００は、次の作用効果を奏する。
（１）置き換え登録の対象となる短縮ダイヤル番号データ２５１、電話帳データ２５２、発着信履歴データ２５３を含む電話帳２００は、車載ハンズフリー装置１００に登録されている複数の携帯電話機５００の各々について管理されており、携帯電話機個体識別情報２１０をキーとして識別されるように構成した。これにより、車載ハンズフリー装置１００に従前から登録済の携帯電話機５００を新しい携帯電話機に買い替える等の際に、当該登録済の携帯電話機５００の電話帳２００が、新しい携帯電話機に帰属するデータとして円滑にその電話帳２００の管理が引き継がれるようにすることができる。
【００３３】
（２）電話帳２００の置き換え登録処理手順の冒頭においても、電話帳２００のデータ移行元の携帯電話機５００の接続認証処理が必須となるように構成した。これにより、第三者が該携帯電話機５００を所有しているユーザになりすまして該電話帳２００の不正な置き換え登録処理手順を実行することを防止することができる。
【００３４】
−−−変形例−−−
（１）上述の図２の説明では、電話帳２００の登録名称としては、たとえば、Ｂｌｕｅｔｏｏｔｈ規格に定義されるＢｌｕｅｔｏｏｔｈ  Ｄｅｖｉｃｅ  Ｎａｍｅや、ユーザ入力に基づく任意の名称等が用いられるとしている。たとえば、車載ハンズフリー装置１００と携帯電話機５００との間のデータ通信方式としてＢｌｕｅｔｏｏｔｈを用いる場合、該登録名称の初期設定値として、Ｂｌｕｅｔｏｏｔｈ  Ｄｅｖｉｃｅ  Ｎａｍｅが優先的に選択されることとしても良い。この場合において、該登録名称の初期設定値として該Ｂｌｕｅｔｏｏｔｈ  Ｄｅｖｉｃｅ  Ｎａｍｅがモニタ１４５に画面表示された際に、ユーザ入力装置１３０の操作により、該登録名称を任意の値または文字列に変更可能としても良い。
【００３５】
（２）上述の図２の説明では、携帯電話機個体識別情報２１０としては、たとえば、Ｂｌｕｅｔｏｏｔｈ規格に定義されるＢｌｕｅｔｏｏｔｈ  Ｄｅｖｉｃｅ  Ａｄｄｒｅｓｓや電話番号等が用いられるとしている。たとえば、車載ハンズフリー装置１００と携帯電話機５００との間のデータ通信方式としてＢｌｕｅｔｏｏｔｈを用いる場合、携帯電話機個体識別情報２１０として、Ｂｌｕｅｔｏｏｔｈ  Ｄｅｖｉｃｅ  Ａｄｄｒｅｓｓに、該規格に定義されるＢｌｕｅｔｏｏｔｈ  Ｄｅｖｉｃｅ  Ｎａｍｅを含めたものを用いても良い。
【００３６】
（３）上述の図３の説明では、ステップＳ３２５の短縮ダイヤル番号設定入力およびステップＳ３３７の短縮ダイヤル番号更新入力を、ユーザ入力装置１３０の操作に基づいて行うこととした。しかし、携帯電話機５００から電話帳データ２５２および発着信履歴データ２５３を読み込む際に、それらの電話帳データ２５２および発着信履歴データ２５３に基づき、短縮ダイヤル番号を自動的に設定することとしても良い。
【００３７】
（４）上述の図４のステップＳ３２９、Ｓ３４１およびＳ３６１における通知画面表示の際、オーディオモジュール１５０を駆動することによりスピーカ１５５から発声される音声ガイダンスを伴っても良い。
【００３８】
（５）上述した本実施の形態の車載ハンズフリー装置１００においては、電話帳２００の置き換え登録処理手順の冒頭においても、電話帳２００のデータ移行元の携帯電話機５００の接続認証処理が必須となるように構成した。その接続認証処理に代えて、またはその接続認証処理に加えて、ステップＳ３３１における判定の結果、肯定判定の場合は、暗証番号等によるユーザ認証手続きを加えることにより、セキュリティを高めても良い。そのユーザ認証手続きには、暗証番号のほかに、たとえばＢｌｕｅｔｏｏｔｈ規格に定義されるＢｌｕｅｔｏｏｔｈ  Ｄｅｖｉｃｅ  ＡｄｄｒｅｓｓおよびＢｌｕｅｔｏｏｔｈ  Ｄｅｖｉｃｅ  Ｎａｍｅ、あるいは電話番号を用いても良い。
【００３９】
上述した各実施の形態および各変形例は、それぞれ組み合わせてもよい。また、本発明の特徴的な機能を損なわない限り、本発明は、上述した実施の形態における機器構成に何ら限定されない。
【符号の説明】
【００４０】
１００  車載ハンズフリー装置            １１０  ＣＰＵ
１１５  主記憶装置                      １３０  ユーザ入力装置
１４０  ディスプレイモジュール          １４５  モニタ
１５０  オーディオモジュール            １５５  スピーカ
１６０  補助記憶装置                    １７０  通信インタフェース
２００  電話帳                          ２１０  携帯電話機個体識別情報
２５１  短縮ダイヤル番号データ          ２５２  電話帳データ
２５３  発着信履歴データ                ５００  携帯電話機
【図１】
2011155606.tif 000003
【図２】
2011155606.tif 000004
【図３】
2011155606.tif 000005
【図４】
2011155606.tif 000006